(57)【要約】      （修正有）【課題】投影像のコントラストを良好にすることができ、設置される屋内空間とのマッチングを図ることが可能なプロジェクタ投影用積層体を提供する。【解決手段】プロジェクタから投影光が投射されることによって、投影像を表示させるスクリーン機能を有するプロジェクタ投影用積層体１であって、上記投影像を表示させる投影領域に配置され黒色を含む少なくとも２色の表示を行う電子ペーパー２と、上記電子ペーパーの観察者側に配置され上記プロジェクタからの上記投影光を拡散する機能および光透過性を有する光機能層３と、上記電子ペーパーの上記観察者側に配置され光透過性を有する壁紙４と、を有することを特徴とするプロジェクタ投影用積層体。【選択図】図４
2016057326.tif 000002
【特許請求の範囲】
【請求項１】
プロジェクタから投影光が投射されることによって投影像を表示させるスクリーン機能を有するプロジェクタ投影用積層体であって、
前記投影像を表示させる投影領域に配置され黒色を含む少なくとも２色の表示を行う電子ペーパーと、
前記電子ペーパーの観察者側に配置され、前記プロジェクタからの前記投影光を拡散する機能および光透過性を有する光機能層と、
前記電子ペーパーの前記観察者側に配置され光透過性を有する壁紙と、
を有することを特徴とするプロジェクタ投影用積層体。
【請求項２】
前記プロジェクタ投影用積層体が、前記電子ペーパー、前記光機能層および前記壁紙の順に積層されていることを特徴とする請求項１に記載のプロジェクタ投影用積層体。
【請求項３】
前記プロジェクタ投影用積層体が、前記電子ペーパー、前記壁紙および前記光機能層の順に積層されていることを特徴とする請求項１に記載のプロジェクタ投影用積層体。
【請求項４】
前記光機能層が、二次元的に配置された複数の凸状の単位形状部を有し、前記凸状の単位形状部の表面において部分的に反射面が形成されている光制御層であることを特徴とする請求項１から請求項３までのいずれかの請求項に記載のプロジェクタ投影用積層体。
【発明の詳細な説明】
【技術分野】
【０００１】
本発明は、プロジェクタ投影用の反射スクリーンとしての機能を有するプロジェクタ投影用積層体に関する。
【背景技術】
【０００２】
画像、映像を大型スクリーンに投影するプロジェクタは、種々の用途に用いられている。プロジェクタを用いて投影像を大型スクリーンに投影するに際しては、通常、投影像の黒色部分はプロジェクタから光が投射されないことで表示を行うものである。そのため、大型スクリーンの地色が明るく、使用環境が明るい場合は投影像のコントラストが低下するという問題がある。
【０００３】
特許文献１には、スクリーン基板の前面側に同一形状の多数の凸状の単位形状部が二次元的に規則的に配置され、上記凸状の単位形状部の投影光入射方向に向かう一部の表面部分のみに反射面が形成された構成と、光吸収層とを組み合わせた反射スクリーンが開示されている。上記構成を有することにより、プロジェクタからの投影像のコントラストを向上させることができる。
【０００４】
ところで、近年、屋内の壁面自体をスクリーンとして用いてプロジェクタを使用することも行なわれている。しかしながら、壁面の色としては白色系の色が好まれることが多いことから、投影像のコントラストを十分なものとすることが困難であるという場合がある。
また、特許文献１に示されるように、壁面の一部に上述した構成を有する反射スクリーンを埋め込んで用いることも検討されているが、この場合、上記反射スクリーンが他の壁面に対して目立つことから、屋内空間のデザインが損なわれる場合がある。
【先行技術文献】
【特許文献】
【０００５】
【特許文献１】特開２００６−２１５１６２号公報
【発明の概要】
【発明が解決しようとする課題】
【０００６】
本発明は、上記実情に鑑みてなされたものであり、投影像のコントラストを良好にすることができ、設置される屋内空間とのマッチングを図ることが可能なプロジェクタ投影用積層体を提供することを主目的とする。
【課題を解決するための手段】
【０００７】
上記目的を達成するために、本発明は、プロジェクタから投影光が投射されることによって投影像を表示させるスクリーン機能を有するプロジェクタ投影用積層体であって、上記投影像を表示させる投影領域に配置され黒色を含む少なくとも２色の表示を行う電子ペーパーと、上記電子ペーパーの観察者側に配置され、上記プロジェクタからの上記投影光を拡散する機能および光透過性を有する光機能層と、上記電子ペーパーの上記観察者側に配置され光透過性を有する壁紙と、を有することを特徴とするプロジェクタ投影用積層体を提供する。
【０００８】
本発明によれば、上記電子ペーパーおよび上記光機能層を有することにより、プロジェクタを使用する時は、上記電子ペーパーで黒表示をして上記光機能層とともに観察者から観察されるようにすることにより、投影像のコントラストを良好なものとすることができる。また、本発明によれば、上記電子ペーパーおよび上記壁紙を有することにより、プロジェクタを使用しない時は、上記電子ペーパーを黒表示から他の色の表示に切り替えて上記壁紙と重ねて観察者から観察されるようにすることにより、本発明のプロジェクタ投影用積層体と、設置される屋内空間とを一体的に配置することができ、上記屋内空間のマッチングを図ることができる。
【０００９】
上記発明においては、上記プロジェクタ投影用積層体が、上記電子ペーパー、上記光機能層および上記壁紙の順に積層されていてもよい。上記壁紙が観察者側の最表面に配置されることにより、本発明のプロジェクタ投影用積層体と上記屋内空間とをより好適にマッチングすることができるからである。
【００１０】
上記発明においては、上記プロジェクタ投影用積層体が、上記電子ペーパー、上記壁紙および上記光機能層の順に積層されていてもよい。壁紙および光機能層を容易に配置することができ、本発明のプロジェクタ投影用積層体を製造しやすいからである。
【００１１】
上記発明においては、上記光機能層が、二次元的に配置された複数の凸状の単位形状部を有し、上記凸状の単位形状部の表面において部分的に反射面が形成されている光制御層であることが好ましい。投影像のコントラストをより良好なものとすることができるからである。
【発明の効果】
【００１２】
本発明のプロジェクタ投影用積層体は、投影像のコントラストを良好にすることができ、設置される屋内空間とのマッチングを図ることが可能であるといった作用効果を奏する。
【図面の簡単な説明】
【００１３】
【図１】本発明のプロジェクタ投影用積層体の一例および他の例を示す概略断面図である。
【図２】本発明のプロジェクタ投影用積層体の他の例を示す概略断面図である。
【図３】本発明のプロジェクタ投影用積層体の使用方法の一例を説明する図である。
【図４】本発明のプロジェクタ投影用積層体の使用方法の一例を説明する図である。
【図５】本発明における光制御層の一例を示す概略平面図および断面図である。
【図６】単位形状部の形状について説明する説明図である。
【図７】本発明における光制御層および壁紙の積層方法の一例を示す概略断面図である。
【図８】本発明のプロジェクタ投影用積層体の他の例を示す概略断面図である。
【発明を実施するための形態】
【００１４】
以下、本発明のプロジェクタ投影用積層体の詳細を説明する。
本発明のプロジェクタ投影用積層体は、プロジェクタから投影光が投射されることによって投影像を表示させるスクリーン機能を有するものであって、上記投影像を表示させる投影領域に配置され黒色を含む少なくとも２色の表示を行う電子ペーパーと、上記電子ペーパーの観察者側に配置され、上記プロジェクタからの上記投影光を拡散する機能および光透過性を有する光機能層と、上記電子ペーパーの上記観察者側に配置され光透過性を有する壁紙と、を有することを特徴とするものである。
【００１５】
本発明のプロジェクタ投影用積層体について図を用いて説明する。図１（ａ）、（ｂ）は本発明のプロジェクタ投影用積層体の一例および他の例について示す概略断面図である。図１（ａ）、（ｂ）に示すように、本発明のプロジェクタ投影用積層体１は、投影像を表示させる投影領域に配置され、黒色を含む少なくとも２色の表示を行う電子ペーパー２と、電子ペーパー２の観察者Ｍ側に配置され、プロジェクタからの投影光を拡散する機能および光透過性を有する光機能層３と、電子ペーパー２の観察者Ｍ側に配置され、光透過性を有する壁紙４と、を有することを特徴とするものである。
図１（ａ）、（ｂ）においては、プロジェクタ投影用積層体１が、電子ペーパー２、光機能層３および壁紙４の順に積層されている態様について示している。また、この態様においては、図１（ａ）に示すように光機能層３は壁紙４の全域に配置されていてもよく、図１（ｂ）に示すように光機能層３は壁紙４の一部の領域に配置されていてもよい。
【００１６】
図２は本発明のプロジェクタ投影用積層体の他の例を示す概略断面図である。
図２においては、光機能層３および壁紙４が一体に形成されている態様について示している。また、図２においては、壁紙４の観察者Ｍ側の表面上に光機能層３が形成されている例について示している。この場合、光機能層３は壁紙４の全域に形成されていることが好ましい。またこの場合、光機能層３は、壁紙４に視覚効果を付与する機能を有する。なお、視覚効果については後述する。
【００１７】
本発明によれば、上記電子ペーパーおよび上記光機能層を有することにより、プロジェクタを使用する時は、上記電子ペーパーで黒表示をして上記光機能層とともに観察者から観察されるようにすることにより、投影像のコントラストを良好なものとすることができる。また、本発明によれば、上記電子ペーパーおよび上記壁紙を有することにより、プロジェクタを使用しない時は、上記電子ペーパーを黒表示から他の色の表示に切り替えて壁紙と重ねて観察者から観察されるようにすることにより、本発明のプロジェクタ投影用積層体と、設置される屋内空間とを一体的に配置することができ、上記屋内空間のマッチングを図ることができる。
【００１８】
本発明のプロジェクタ投影用積層体の使用方法について図を用いて説明する。
図３（ａ）はプロジェクタを使用する際における本発明のプロジェクタ投影用積層体について説明する図であり、図３（ｂ）は図３（ａ）のＡ−Ａ線断面図である。
本発明において、プロジェクタＰを使用するに際しては、電子ペーパー２で黒表示をして光機能層３とともに観察者から観察されるようにすることにより、投影像１３のコントラストを良好なものとすることができる。この理由については必ずしも明らかではないが、以下のように推察される。プロジェクタＰにおける投影位置１０からの投影光１１は光機能層３により拡散されることにより、投影像１３の黒以外の表示光１２として観察者に観察されると推察される。一方、投影像１３の黒色部分ｂは、プロジェクタＰから投影光１１が投射されていない。そのため、投影像の黒色部分ｂにおいては、観察者には光機能層３および壁紙４を透過して電子ペーパー２の黒表示が観察されると推察される。よって、観察者に対しては、電子ペーパー２の黒表示を、投影像１３の黒色部分ｂとして観察させることができるため、投影像のコントラストを向上させることができると推察される。
【００１９】
図４（ａ）はプロジェクタを使用しない際における本発明のプロジェクタ投影用積層体について説明する図であり、図４（ｂ）は図４（ａ）のＡ−Ａ線断面図である。プロジェクタを使用しない時は、電子ペーパー２を黒表示から白表示等の他の色の表示に切り替えて壁紙４と重ねて観察者から観察されるようにすることにより、本発明のプロジェクタ投影用積層体と、設置される屋内空間とを一体的に配置することができ、上記屋内空間のマッチングを図ることができる。
【００２０】
なお、図３および図４においては、電子ペーパー２として、透明基材２１および透明基材２１上に形成された透明電極２２を有する透明電極基材と、背面基材２３および背面基材２３上に形成された背面電極２４を有する背面電極基材と、透明電極基材および背面電極基材の間に配置された表示媒体層２７とを有するツイストボール方式の電子ペーパーを用いた例について示している。また、表示媒体層２７は、表示媒体としてツイストボール２５を有し、さらに溶媒（図示なし）および膨潤層２６を有する。
【００２１】
本発明のプロジェクタ用積層体は、３つの態様を有する。以下、各態様について説明する。
【００２２】
Ｉ．第１態様
本態様のプロジェクタ投影用積層体は、図１（ａ）、（ｂ）に示すように、プロジェクタ投影用積層体１が、電子ペーパー２、光機能層３および壁紙４の順に積層されているものである。本態様においては、上記壁紙が観察者側の最表面に配置されることにより、プロジェクタ投影用積層体と上記屋内空間とをより好適にマッチングすることができる。
【００２３】
以下、本態様のプロジェクタ投影用積層体の各構成について説明する。
【００２４】
１．光機能層
本態様における光機能層は、上記電子ペーパーの観察者側に配置され上記プロジェクタからの上記投影光を拡散する機能および光透過性を有するものである。
このような光機能層としては、光制御層と、光拡散層とが挙げられる。以下、各層について説明する。
【００２５】
（１）光制御層
光制御層は、二次元的に配置された複数の凸状の単位形状部を有し、上記凸状の単位形状部の表面において部分的に反射面が形成されているものである。
ここで、「凸状の単位形状部の表面において部分的に反射面が形成されている」とは、単位形状部の表面の一部に反射面が形成されていることをいい、単位形状部の表面全体に反射面が形成されている場合を含まないことをいう。
また本発明において、「凸状の単位形状部の表面において部分的に反射面が形成されている」形態としては、上記プロジェクタからの上記投影光が当たる表面部分のみに反射面が形成されていることが好ましい。通常、プロジェクタからの投影光は、本態様のプロジェクタ投影用積層体の面方向に対して偏った位置を投影位置として投射される。よって、通常、単位形状部の表面においては、一部の表面に投影光が当たり、表面全体に投影光は当たらない。そのため、通常、単位形状部の表面全体に反射面は形成されない。すなわち、上記反射面は、通常、上記凸状の単位形状部の投影光の入射方向に向かう一部の表面部分のみに形成される。
【００２６】
図５（ａ）は本態様における光制御層の一例を示す概略平面図であり、図５（ｂ）は図５（ａ）のＡ−Ａ線断面図である。図５（ａ）、（ｂ）に示すように、光制御層３１は、二次元的に配置された複数の凸状の単位形状部３３を有し、上記凸状の単位形状部３３の表面において上記プロジェクタ（投影位置１０）からの上記投影光１１が当たる表面部分のみに反射面３４が形成されているものである。また、隣接する各単位形状部３３の影部３５には、反射面３４が形成されていなくてもよい。また、単位形状部３３は通常、支持体３２の表面に形成される。
【００２７】
光制御層の光透過性としては、プロジェクタ投影用積層体において、観察者が光機能層を介して電子ペーパーの表示を視認することができる程度であれば特に限定されない。光制御層の可視光領域の平均透過率としては、例えば、５０％以上であることが好ましく、特に８０％〜１００％の範囲内であることが好ましい。光制御層の上記平均透過率が小さすぎると、電子ペーパーの表示を十分に視認することが困難となる可能性があるからである。
なお、光制御層の上記平均透過率は、通常、反射面が形成されていない部分における上記平均透過率をいう。光制御層の上記平均透過率は、一般的な測定方法により求めることができ、例えば、ヘーズ・透過率計ＨＭ−１５０（村上色彩技術研究所製）や、顕微分光装置ＯＳＰ−ＳＰ２０００（ＯＬＹＭＰＵＳ社製）を用いて測定することにより求めることができる。
【００２８】
（ａ）単位形状部
光制御層は、複数の凸状の単位形状部を有する。
単位形状部は凸状体で構成される。凸状体の形状としては、例えば、図５（ａ）、（ｂ）に示すような半球形状（凸レンズ形状）、図６（ａ）、（ｂ）に示すような球面を投影位置に向けている半月形状、図６（ｃ）、（ｄ）に示すような回転楕円体の半分の形状、図６（ｅ）、（ｆ）に示すような円錐形状等を挙げることができる。また、図６（ｃ）、（ｄ）に示すような回転楕円体の半分の形状を単位形状部の形状とするときには、その回転楕円体の長軸が投影位置の方向に対して略直交するように配置することが望ましい。
なお、図６（ａ）〜（ｆ）は単位形状部の凸状体の形状について説明する説明図であり、図６（ａ）、（ｃ）、（ｅ）は単位形状部の凸状体の平面視形状、図６（ｂ）、（ｄ）、（ｆ）はそれぞれ図６（ａ）、（ｃ）、（ｅ）におけるＡ−Ａ線断面図である。
【００２９】
光制御層における複数の単位形状部の凸状体は、それぞれが異なる形状を有していてもよく、同一形状を有していてもよいが、通常、同一形状を有する。
【００３０】
複数の単位形状部の配置としては、二次元的に配置することができれば特に限定されず、規則的であってもよく、不規則であってもよい。複数の単位形状部を規則的に配置する場合、例えば、俵積み状、六方稠密状、縦横碁盤の目状等を挙げることができる。
【００３１】
単位形状部の寸法としては、例えば、径が１００μｍ〜２００μｍ程度が好ましい。また、単位形状部間の間隔（ピッチ）としては、１００μｍ〜１０００μｍの範囲に設定することが望ましい。
【００３２】
単位形状部は、透明樹脂を用いて形成することができる。透明樹脂としては、電離放射線硬化性樹脂、熱可塑性樹脂等を挙げることができる。
ここで、「電離放射線硬化性樹脂」とは、電離放射線の照射により硬化した樹脂をいう。「電離放射線」とは、電磁波または荷電粒子線のうち、分子を重合あるいは架橋し得るエネルギー量子を有するものをいい、例えば、紫外線や電子線の他、Ｘ線、γ線等の電磁波、α線、イオン線等の荷電粒子線が挙げられる。電離放射線硬化性樹脂としては、なかでも紫外線硬化性樹脂であることが好ましい。
【００３３】
単位形状部の形成方法としては、例えば、単位形状部に対応する凹部を有する金型を用意し、光硬化性樹脂を充填して硬化させた後、金型から離型させる方法や、単位形状部に対応する凹部を有する金型を熱可塑性樹脂層の表面に押し当てて賦型する方法等を挙げることができる。
【００３４】
図５（ａ）、（ｂ）に示すように単位形状部３３は、通常、シート状の支持体３２の表面に形成される。支持体の厚みとしては、本発明のプロジェクタ用積層体の用途に応じて適宜選択することができ、特に限定されないが、３０μｍ〜２００μｍ程度である。
【００３５】
（ｂ）反射面
光制御層は、反射面を有する。反射面は、上記凸状の単位形状部の表面において上記プロジェクタからの上記投影光が当たる表面部分のみに形成されるものである。
【００３６】
単位形状部における反射面の位置、形状については、本態様のプロジェクタ投影用積層体が予め想定している使用状態において相対的に配置されるプロジェクタの投影位置に応じて適宜選択することができる。例えば、図５（ａ）、（ｂ）に示すように、投影位置１０が光制御層３１に対して偏った位置である場合は、反射面３４は各単位形状部３３の表面の投影位置１０に向いた偏った一部の表面部分にのみ形成されてもよい。また、この場合、反射面３４の形状としては、投影位置１０に対する単位形状部３３の位置に応じて適宜調整され、各単位形状部に形成される反射面の形状を位置に応じて異なる形状に形成される。
また、図示はしないが、全ての単位形状部における反射面の形状、位置が同じになるようにしてもよい。この場合は、プロジェクタ投影用積層体の全て位置の単位形状部の表面の反射面が投影位置に向いていて入射する投影光をプロジェクタ投影用積層体へ反射（拡散反射）する位置、形状に選ぶ必要がある。例えば単位形状部の表面の下から３分の２の範囲に反射面を付着する等の設計を行うことができる。
【００３７】
各単位形状部の配列のし方と間隔によっては、隣接する各単位形状部の影部が一部の単位形状部の表面に形成されるが、この影部に反射面を設けても設けなくてもよい。
【００３８】
反射面は、プロジェクタからの投影光を拡散反射することができればよく、例えば、ＴｉＯ２、ＺｎＳ等の無機材料を用いて形成された蒸着膜であってもよく、白色塗料、鏡面インキ等を用いて形成された塗膜であってもよい。塗膜の形成方法については、例えば、特開２００６−２１５１６２号公報に記載の方法と同様とすることができるため、ここでの説明は省略する。また、反射面を形成する単位形状部の表面上にサンドブラスト処理等の微細凹凸を形成する処理を行なってもよい。
【００３９】
反射面の厚みとしては、反射面の種類、構成等に応じて適宜選択することができ、特に限定されないが、最厚部が５μｍ〜５０μｍの範囲内であることが好ましい。
【００４０】
反射面の拡散反射率としては、例えば、５％以上であることが好ましく、４０％以上であることがより好ましい。
反射面の拡散反射率は、例えば、島津製作所製の分光光度計ＵＶ−２１００または分光光度計ＵＶ−２６００に付属の積分球を取り付けて測定することができる。
【００４１】
（２）光拡散層
光拡散層は、所定のヘイズを示し、光透過性を有するものである。
光拡散層の光透過性としては、プロジェクタ投影用積層体において、観察者が光拡散層を介して電子ペーパーの表示を視認することができる程度であれば特に限定されない。光拡散層の可視光領域の透過率については、上述した光制御層の内容と同様とすることができる。
【００４２】
光拡散層としては、例えば、透明基材の表面にサンドブラスト等の微細凹凸加工を施したものを用いることができる。また、市販のマットグレードの透明基材を用いることができる。市販のマットグレードの透明基材としては、例えば、ユニチカ製のエンブレット  ＰＴＨＺ１２等を用いることができる。また、光拡散層としては、透明基材の表面にビーズ入りの透明樹脂を塗布して形成したもの、透明基材の表面に透明樹脂を塗布し上記透明樹脂を発泡させて気泡を形成したもの等を用いることもできる。光拡散層として上記微細凹凸加工を施した透明基材、マットグレードの透明基材を用いた場合は、光拡散機能の均一性を高くすることができる。一方、光拡散層として塗布法によるものを用いた場合は、本発明のプロジェクタ用壁紙を安価なものとすることができる。
【００４３】
光拡散層の厚みとしては、本発明のプロジェクタ投影用積層体の用途に応じて定義選択することができ、特に限定されないが、１０μｍ〜３０００μｍの範囲内であることが好ましく、５０μｍ〜１０００μｍの範囲内であることが好ましい。光拡散層の厚みが薄いと、干渉が生じる可能性があるからである。また、透明基材の表面に微細凹凸を設ける場合は、凹凸が目視され易くなる可能性があるからである。さらに、光拡散層の厚みが薄すぎると強度を十分なものとすることが困難となる可能性があるからである。一方、光拡散層の厚みが厚いと、電子ペーパーの表示の視認性を低下させる可能性があるからである。
【００４４】
（３）その他
本態様に用いられる光機能層は、本発明のプロジェクタ投影用積層体の投影領域に配置されていれば特に限定されず、投影領域のみに配置されていてもよく、投影領域以外の領域に配置されていてもよい。また、本態様においては、図７に示すように、光機能層３と壁紙４とは、通常、透明性を有する接着層５を用いて貼り合わされる。接着層に用いられる接着剤については、一般的なものを用いることができるため、ここでの説明は省略する。
【００４５】
２．壁紙
本態様における壁紙は、電子ペーパーの観察者側に配置されるものであり、光透過性を有するものである。
壁紙の光透過性としては、プロジェクタ使用時において、本態様のプロジェクタ投影用積層体の観察者が、壁紙を介して、電子ペーパーによる黒表示を観察できる程度であれば特に限定されず、本態様のプロジェクタ投影用積層体の用途に応じて適宜選択することができる。例えば、壁紙の可視光領域の平均透過率として、４０％以上、なかでも５０％以上、特に６０％以上であることが好ましい。壁紙の可視光領域の平均透過率が小さすぎる場合は、電子ペーパーの切り替えた場合も投影像のコントラストの向上を図ることが困難となる可能性があるからである。
また、壁紙の可視光領域の平均透過率の上限としては、特に限定されないが、例えば、８０％程度である。
なお、壁紙の可視光領域の平均透過率は、一般的な測定方法に求めることができ、例えば、ヘーズ・透過率計ＨＭ−１５０（村上色彩技術研究所製）や、顕微分光装置ＯＳＰ−ＳＰ２０００（ＯＬＹＭＰＵＳ社製）を用いて測定することにより求めることができる。
【００４６】
壁紙は、通常、意匠性を付与するため視覚効果が施されている。壁紙の視覚効果としては、例えば、色彩、模様、質感等を挙げることができる。
模様としては、例えば、木目調、大理石調、ストライプ、ドット、格子、花柄等の模様が挙げられるがこれに限定されない。
質感としては、壁紙の材質により表現される質感や、壁紙表面に凹凸を設けることにより表現される質感等を挙げることができる。
【００４７】
壁紙としては、図１（ａ）に示すように、壁紙用基材４１および視覚効果層４２で形成されるものであってもよく、図１（ｂ）に示すように、壁紙用基材４１のみで構成されるものであってもよい。壁紙用基材および視覚効果層で形成される場合、通常、壁紙用基材としては、通常、透明基材が用いられる。透明基材の透明性としては、例えば、可視光領域における透過率が８０％以上であることが好ましく、９０％以上であることがより好ましい。透過率が上記範囲であることにより、上記電子ペーパーの表示輝度が低下すること等を防止することができるからである。
ここで、透明基材の透過率は、ＪＩＳ  Ｋ７３６１−１（プラスチック−透明材料の全光透過率の試験方法）により測定することができる。
【００４８】
壁紙用基材としては、例えば、ガラス等のリジットな基材であってもよく、樹脂フィルム、紙等のフレキシブル性を有する基材であってもよい。ガラスとしては、ソーダライムガラス、無アルカリガラス、石英ガラス等を用いることができ、中でも、無アルカリガラスが好ましい。一方、樹脂としては、ポリプロピレン、ポリエチレン、ポリ塩化ビニル、ポリスチレン、ポリビニルアルコール、ポリイミド、ポリエチレンナフタレート、ポリエチレンテレフタレート、ポリカーボネート、ポリエーテルイミド、ポリエーテルエーテルケトン、ポリエーテルケトン、ポリフェニレンスルフィド、液晶ポリマー、エポキシ樹脂、シリコーン樹脂、フェノール樹脂、アクリル樹脂、ポリカーボネート樹脂、スチロール、トリアセチルセルロース（ＴＡＣ）等を挙げることができる。また、紙としては、和紙、障子、不織布等を挙げることができる。
【００４９】
壁紙用基材のみで壁紙を構成する場合は、例えば、壁紙用基材中に色材を添加することにより着色されていてもよく、壁紙表面に凹凸加工が施されていてもよい。
【００５０】
視覚効果層は、通常、壁紙用基材の全面に形成される。視覚効果層は、例えば、色材を含むインク等を用いて壁紙用基材上に印刷することにより形成することができる。
【００５１】
壁紙の厚みとしては、本態様のプロジェクタ投影用積層体の用途に応じて適宜選択することができ、特に限定されないが、１０μｍ〜５０００μｍの範囲内、なかでも３０μｍ〜３０００μｍの範囲内、特に５０μｍ〜２０００μｍの範囲内であることが好ましい。壁紙の厚みが薄すぎると、壁紙が破損等しやすくなる可能性があるからであり、壁紙の厚みが厚すぎると、光透過性を十分に示さない場合や、電子ペーパーの視認性が低下する可能性や、光機能層の拡散機能を阻害する可能性があるからである。
【００５２】
本態様においては、必要に応じて、投影像の表示領域以外の領域に配置される壁紙の表面上に光透過性を有さない第２視覚効果層を形成してもよい。第２視覚効果層の視覚効果としては、例えば、図形、絵柄、文字等を挙げることができる。第２視覚効果層は、例えば、通常の印刷方法により印刷することができる。
【００５３】
壁紙は、通常、透明性を有する接着剤等を用いて、光機能層と貼り合わされる。壁紙が壁紙用基材および視覚効果層を有する場合、光機能層と壁紙用基材とが対向するように貼り合わされていてもよく、光機能層と視覚効果層とが対向するように貼り合わされていてもよい。
【００５４】
壁紙の観察者側には、必要に応じて、帯電防止層、防眩層、ハードコート層、防汚処理層等を有していてもよい。これらの各層については、公知のものを用いることができるため、ここでの説明は省略する。
【００５５】
３．電子ペーパー
本態様に用いられる電子ペーパーは、上記投影像を表示させる投影領域に配置され、黒色を含む少なくとも２色の表示を行うものである。
【００５６】
（１）電子ペーパーの配置、表示領域等
本態様に用いられる電子ペーパーは、上記投影像を表示させる投影領域に配置され黒色を含む少なくとも２色の表示を行うものである。
本態様においては、電子ペーパーとしては、通常、黒表示と、他の色の表示との２色の表示を行うことができるものが用いられる。また、電子ペーパーとしては、黒色表示と他の色の表示との２色の階調表示を行うことができるものであってもよい。他の色については、本態様のプロジェクタ投影用積層体が設置される屋内空間の壁面の色に応じて適宜選択することができるが、なかでも、白色であることが好ましい。
【００５７】
電子ペーパーは投影像を表示させる投影領域に配置可能なものであれば特に限定されず、例えば、上記投影領域以外の領域にも配置されていてもよい。
【００５８】
また、電子ペーパーの表示領域としては、通常、上記投影領域に対応するように設けられる。また、本態様においては、電子ペーパーの表示領域が、上記投影領域に対応する領域全体を黒表示および他の色の表示に切り替え可能なものであることが好ましい。投影像のコントラストをより良好なものとすることができるからである。
【００５９】
（２）電子ペーパーの構成
電子ペーパーとしては、一般的なものを用いることができ、透明基材上に透明電極が形成された透明電極基材と、背面基材上に背面電極が形成された背面基材との間に表示媒体層が配置されたもの等を挙げることができる。
【００６０】
透明電極、および背面電極のパターン形状については、上述した電子ペーパーの表示領域に応じて適宜選択することができる。
透明基材、透明電極、背面基材、背面電極については、一般的な電子ペーパーに用いられるものと同様とすることができる。例えば、特開２０１１−１１２７９２号公報、特開２０１１−１１２８０２号公報、特開２０１３−１９５４６０号公報に記載の電子ペーパーの透明基材、透明電極、背面基材（対向基材）、背面電極（対向電極）等と同様とすることができる。
【００６１】
表示媒体層としては、電子ペーパーの表示方式に応じて適宜選択することができる。
電子ペーパーの表示方式としては、公知のものを適用することができ、例えば、電気泳動方式、ツイストボール方式、粉体移動方式（電子粉流体方式、帯電トナー型方式）、液晶表示方式、サーマル方式（発色方式、光散乱方式）、エレクトロクロミック方式、エレクトロウェッティング方式、磁気泳動方式等が挙げられる。
電子ペーパーの表示方式としては、なかでもツイストボール方式、電気泳動方式であることが好ましい。
【００６２】
ツイストボール方式は、対向電極および透明電極の間に駆動電圧を印加して生じた電界により、異なる帯電特性を有する２色相球状粒子（ツイストボール）を２色相のいずれか１色の相がツイストボール型電子ペーパーの表示面側に向くように回転させることで視覚効果を表示する方式である。ツイストボール方式においては、電子ペーパーの大型化を図りやすいといった利点を有する。
【００６３】
電気泳動方式は、溶媒中に分散された帯電粒子が、電界によって電極間を移動する電気泳動現象を利用したものである。電気泳動方式には、例えば、マイクロカプセル方式、マイクロカップ方式等がある。
マイクロカプセル方式では、帯電した白色粒子および黒色粒子と、これらの粒子を分散する透明分散媒とを透明樹脂からなるマイクロカプセル中に封入し、電界を印加することにより、白色粒子および黒色粒子を上下させることで白黒表示または階調を表現する。
マイクロカップ方式では、カップ状の窪み（マイクロカップ）で仕切られたセルに、染料で着色した分散媒と、帯電した白色粒子とを配置し、電界を印加することにより、白色粒子を上下させることで白色または分散媒の色を表示させる。電気泳動方式においては、黒色と他の色との階調表示を好適に行うことが可能となるため、屋内空間の明るさに対応させて電子ペーパーの表示を調整することができるといった利点を有する。
【００６４】
本態様における電子ペーパーに用いられる表示媒体層としては、一般的な電子ペーパーに用いられるものと同様とすることができる。以下、表示媒体層がツイストボール方式の電子ペーパーに用いられる態様と、表示媒体層が電気泳動方式のマイクロカプセル方式に用いられる態様とを例示する。
【００６５】
（ａ）ツイストボール方式における表示媒体層
ツイストボール方式の電子ペーパーにおける表示媒体層としては、異なる帯電特性を有する２色相を有するツイストボールと、溶媒と、膨潤層とを有するものである。
ツイストボールとしては、２色相のうち、１色が黒色であればよく、他の色については、本態様のプロジェクタ投影用積層体が用いられる屋内空間の壁面の色に合わせて調整することができる。本態様においては、なかでも、２色相が、黒色と白色とであることが好ましい。ツイストボールの詳細については、特開２０１１−１１２７９２号公報、特開２０１１−１１２８０２号公報等に記載の内容と同様とすることができるため、ここでの説明は省略する。
溶媒は、ツイストボールの回転が円滑となるようにするために用いられるものであり、通常は、膨潤層に膨潤させることにより用いられるものである。溶媒としては、例えば、ジメチルシリコーンオイル、イソパラフィン系溶媒、および直鎖パラフィン系溶媒、ドデカン、トリデカン等の直鎖アルカン等の低極性溶媒を用いることができる。
膨潤層は、上記溶媒を膨潤させるものであり、また、ツイストボールを分散させて保持するものである。膨潤層は、シリコーン樹脂、微架橋したアクリル樹脂、微架橋したスチレン樹脂、およびポリオレフィン樹脂等のエラストマー材料を用いて形成することができる。膨潤層の厚みとしては、例えば、５０μｍ〜１０００μｍの範囲内、なかでも１００μｍ〜７００μｍの範囲内、特に２００μｍ〜５００μｍの範囲内であることが好ましい。
【００６６】
上記表示媒体層は、例えば、エラストマー材料中にツイストボールを分散させてシート状とし、溶媒を膨潤させることにより、形成することができる。
【００６７】
（ｂ）電気泳動方式のマイクロカプセル方式における表示媒体層
電気泳動方式のマイクロカプセル方式の電子ペーパーにおける表示媒体層としては、例えば、白色粒子と黒色粒子と透明分散媒とからなる分散液を内包したマイクロカプセルをバインダー樹脂により固定したものを挙げることができる。透明分散媒としては、例えば、アルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００６８】
白色粒子としては、例えば、二酸化チタン、亜鉛華、三酸化アンチモン等の白色顔料を用いることができ、黒色粒子としては、例えば、アニリンブラック、カーボンブラック、チタンブラック等の黒色顔料を用いることができる。
さらに必要に応じて、これらの顔料に、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加してもよい。
【００６９】
マイクロカプセルの壁膜を形成する材料としては、例えば、アラビアゴム・ゼラチンの複合膜、ウレタン樹脂、ウレア樹脂、尿素樹脂などの化合物を用いることができる。
【００７０】
バインダー樹脂としては、マイクロカプセルの壁膜に対する親和性が良好で、上記透明電極に対する密着性に優れ、かつ絶縁性を有するものを用いることができ、例えば、ポリエチレン、塩素化ポリエチレン、エチレン−酢酸ビニル共重合体、シリコーン樹脂等を挙げることができる。
【００７１】
このような表示媒体層は、例えば、マイクロカプセルをバインダー樹脂に分散してインキ化したものを上記透明電極上に塗布することにより形成することができる。
【００７２】
（ｃ）表示媒体層用基材
本態様に用いられる電子ペーパーにおいては、必要に応じて、表示媒体層の透明電極基材側および背面電極基材側の少なくとも一方に表示媒体層用基材を配置してもよい。表示媒体層用基材としては、電子ペーパーに用いられる透明基材、背面基材等と同様とすることができる。また、表示媒体層用基材としては、公知のラミネートフィルムを用いることもできる。
【００７３】
（ｄ）その他
本態様に用いられる電子ペーパーにおいては、透明電極基材における透明基材側が表示媒体層と対向するように配置されていてもよく、透明電極側が表示媒体層と対向するように配置されていてもよい。また、背面電極基材における背面基材側が表示媒体層と対向するように配置されていてもよく、背面電極側が表示媒体層と対向するように配置されていてもよい。
【００７４】
本態様に用いられる電子ペーパーは、上述した透明電極基材、背面電極基材、および表示媒体層を有していれば特に限定されず、必要な構成と適宜選択して追加することができる。例えば、配線等を挙げることができる。
【００７５】
４．その他の構成
本態様のプロジェクタ投影用積層体は、上述した電子ペーパー、光機能層および壁紙を有していれば特に限定されず、必要な構成を適宜選択して用いることができる。このような構成としては、例えば、電子ペーパーに電源を供給するための太陽電池、電子ペーパーの表示切り替えを行うための制御部、電子ペーパーが電気泳動方式である場合において屋内環境における明るさに合わせて階調表示をするためのセンサー等を挙げることができる。
【００７６】
５．用途
本態様のプロジェクタ投影用積層体は、屋内空間の壁面に配置することで、プロジェクタを使用する時はスクリーンとして、プロジェクタを使用しない時は壁と同化して用いることができる。
【００７７】
ＩＩ．第２態様
本態様のプロジェクタ投影用積層体は、図２に示すように、プロジェクタ投影用積層体１が、電子ペーパー２、壁紙４および光機能層３の順に積層されているものである。本態様においては、壁紙および光機能層を容易に配置することができ、本発明のプロジェクタ投影用積層体を製造しやすいといった利点を有する。
また、本態様においては、光機能層は、壁紙の全域に配置されていることが好ましい。本態様のプロジェクタ投影用積層体と屋内空間とをよりマッチングさせることができるからである。なお、本態様のプロジェクタ投影用積層体と屋内空間との一体感を損なわない程度であれば、上記光機能層を壁紙の一部の領域に配置してもよい。
【００７８】
１．光機能層
本態様における光機能層は、壁紙の観察者側に配置されるものである。
光機能層が光制御層である場合は、通常、単位形状部側とは反対側の面と壁紙の観察者側の面とが対向するように配置される。また、壁紙と光制御層とは、通常、接着層を用いて貼り合わされる。接着層に用いられる接着剤については、公知のものと同様とすることができるため、ここでの説明は省略する。
【００７９】
本態様においては、光機能層の観察者側の表面に、帯電防止機能、防眩機能、防汚機能を付与してもよい。これらの機能は、一般的な帯電防止処理、防眩処理、防汚処理を行うことにより、付与することができる。
【００８０】
本態様において、光機能層として光制御層を用いる場合、複数の単位形状部は、壁紙の全域に配置されていてもよい。この場合、反射面を有しない単位形状部が部分的に設けられていてもよい。
本態様においては、光機能層は、壁紙に視覚効果を付与する機能を有する。
【００８１】
光機能層について上記以外の点については、上述した「Ｉ．第１態様」の項で説明した内容と同様とすることができるため、ここでの説明は省略する。
【００８２】
２．その他
本態様のプロジェクタ投影用積層体におけるその他の構成については、上述した「Ｉ．第１態様」の項で説明した内容と同様とすることができるため、ここでの説明は省略する。
【００８３】
ＩＩＩ．第３態様
本発明のプロジェクタ投影用積層体は、上述した第１態様、第２態様の他にも、例えば、光機能層が壁紙を兼ねる構成を有することができる。
光機能層が壁紙を兼ねる構成としては、例えば、図８（ａ）に示すように、光機能層３の観察者側とは反対側の表面上に上述した壁紙における視覚効果層４２が形成されている態様、図８（ｂ）に示すように、着色樹脂、着色ガラス等を用いて壁紙４を兼ねる光機能層３が形成されている態様等を挙げることができる。
なお、図８（ａ）、（ｂ）は本態様のプロジェクタ投影用積層体の他の例を示す概略断面図であり、説明していない符号については、図１（ａ）、（ｂ）と同様とすることができるため、ここでの説明は省略する。
【００８４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００８５】
以下、本発明について実施例を挙げて説明する。
【００８６】
（光制御層の作成）
ＵＶ硬化樹脂を用い、２Ｐ複製法を用いて支持体と、支持体の一方の表面上に複数の半球状の形状を作製した後、ＵＶを照射して形状を硬化させて複数の凸状の単位形状部を形成した。次に、反射面を形成するために白色マット塗料を斜め方向からスプレー塗布して、単位形状部に反射面を形成した。以上の工程により光制御層を形成した。
【００８７】
（プロジェクタ投影用積層体の作成）
上記光制御層における単位形状部側の面に透明フィルム上に柄を印刷した壁紙シートを接着剤を用いて貼り合わせた。また、上記光制御層における単位形状部側とは反対側の面に、ツイストボール型の電子ペーパーを貼り合わせた。以上の工程により、所望のプロジェクタ用積層体を得た。
【００８８】
電子ペーパーの白色と通常壁紙の裏打ちに使用する白色の色味は若干異なるため、上記貼り合わせに用いる壁紙シートに適切な色調整を行うことで、絵柄の色の連続性を確保し、プロジェクタ光照射領域を違和感なく壁に溶け込ませることができた。
【００８９】
プロジェクタ使用時に電子ペーパーを黒色に表示させることにより、電子ペーパーを白色に表示させる場合に比べて、コントラストの高い画像を映し出すことができた。
【符号の説明】
【００９０】
１  …  プロジェクタ投影用積層体
２  …  電子ペーパー
３  …  光機能層
４  …  壁紙
３１  …  光制御層
３２  …  支持体
３３  …  単位形状部
３４  …  反射面
【図１】
2016057326.tif 000003
【図２】
2016057326.tif 000004
【図３】
2016057326.tif 000005
【図４】
2016057326.tif 000006
【図５】
2016057326.tif 000007
【図６】
2016057326.tif 000008
【図７】
2016057326.tif 000009
【図８】
2016057326.tif 000010